【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
所定面上に形成した被写体像に基づく光束を、正立像形成部材と光軸に対して互いに異なる角度で配置した２つの光学面とを通過させて接眼レンズに導光する観察系と、該正立像形成部材の近傍に設けた表示体からの光束を、該２つの光学面で反射させて、該接眼レンズに導光する表示系とを有し、該観察系と該表示系とを利用して該被写体像と該表示体の双方を同一視野で観察することを特徴とするファインダー系。
【請求項２】
前記２つの光学面のうち１つはハーフミラー、他の１つはダイクロイックミラーであることを特徴とする請求項１のファインダー系。
【請求項３】
所定面上に形成した被写体像に基づく光束を、正立像形成部材と光軸に対して互いに異なる角度で配置した第１の光学面と第２の光学面の順に通過させて接眼レンズに導光する観察系と、該正立像形成部材の近傍に設けた表示体からの光束を、該第２の光学面と第１の光学面の順で反射させて、該接眼レンズに導光する表示系とを有し、該観察系と該表示系とを利用して該被写体像と該表示体の双方を同一視野で観察することを特徴とするファインダー系。
【請求項４】
前記第１の光学面はハーフミラー、又はダイクロイックミラーであることを特徴とする請求項３のファインダー系。
【請求項５】
前記第１の光学面の法線と光軸とのなす角をθ1 °としたとき、
２．５＜θ1 ＜２０
を満足することを特徴とする請求項４のファインダー系。
【請求項６】
前記第１の光学面の法線と第２の光学面の法線とのなす角をθR °としたとき、
３０＜θR ＜５５
を満足することを特徴とする請求項４のファインダー系。
【請求項７】
前記第１と第２の光学面は１つの光学部材より形成されており、該第２の光学面は前記表示体からの光束を反射させるとともに、前記所定面上の被写体像からの光束であって、該第１の光学面を通過してくる光束を通過するように光軸に対して傾斜して配置しており、該第２の光学面に基づく光軸の偏向を補償する透過面を有する補償光学部材を光路中に設けていることを特徴とする請求項４のファインダー系。
【請求項８】
前記第２の光学面は前記表示体からの光束を全反射させるとともに、前記所定面上の被写体像からの光束であって、前記第１の光学面を通過してくる光束を通過するように設定していることを特徴とする請求項７のファインダー系。
【請求項９】
前記第２の光学面の法線と光軸とのなす角をθ2 °としたとき、
１５＜θ2 ＜３５
を満足することを特徴とする請求項７のファインダー系。
【請求項１０】
前記正立像形成部材の射出面は前記第１の光学面と略平行で近接配置、又は接合されていることを特徴とする請求項７のファインダー系。
【請求項１１】
前記補償光学部材の透過面は曲面を有しており、前記接眼レンズの一部の光学作用をしていることを特徴とする請求項７のファインダー系。
【請求項１２】
前記第１の光学面と第２の光学面はいずれもハーフミラー、又はダイクロイックミラーであることを特徴とする請求項３のファインダー系。
【請求項１３】
前記第１の光学面と第２の光学面は１つの光学部材より形成されており、該第２の光学面に基づく光軸の偏向を補償する透過面を有する補償光学部材を該第２の光学面と接合していることを特徴とする請求項１２のファインダー系。
【請求項１４】
前記正立像形成部材の射出面は前記第１の光学面と略平行で近接配置、又は接合されていることを特徴とする請求項１２のファインダー系。
【請求項１５】
前記第１、第２の光学面は反射鏡より成っていることを特徴とする請求項１２のファインダー系。
【請求項１６】
所定面上に形成した被写体像に基づく光束を、正立像形成部材と光軸に対して傾斜した光学面を有する光学部材の該光学面を通過させて接眼レンズに導光する観察系と、該正立像形成部材の近傍に設けた表示体からの光束を結像系で集光し、該光学面で反射させた後に該接眼レンズに導光する表示系とを有し、該観察系と該表示系とを利用して、該所定面上の被写体像と該表示体の縮小像との双方を略同一の視度で観察するようにしたことを特徴とするファインダー系。
【請求項１７】
前記結像系は正の第１レンズと正の第２レンズとを有し、該結像系と前記接眼レンズとの合成の焦点距離をｆR 、前記観察系の焦点距離をｆE としたとき、
０．１＜ｆR ／ｆE＜０．５
を満足することを特徴とする請求項１６のファインダー系。
【請求項１８】
所定面上に形成した被写体像に基づく光束を、正立像形成部材と光軸に対して傾斜した光学面を有する光学部材の該光学面を通過させて接眼レンズに導光する観察系と、該正立像形成部材の近傍に設けた表示体からの光束を、該光学面で反射させて、該接眼レンズに導光する表示系とを有し、該観察系と該表示系とを利用して、該被写体像と表示体の双方を同一視野で観察すると共に、該所定面上に形成した被写体像に基づく光束の一部を該正立像形成部材、及び該光学部材のうち、該観察系の有効光線領域外の一部を介して受光レンズで集光して受光素子に導光する測光系を有し、該測光系を用いて該被写体像の輝度情報を得ていることを特徴とするファインダー系。
【請求項１９】
前記光学部材は、前記表示体からの光束を入射させる表示用入射面、前記正立像形成部材からの光束を入射させて、前記受光レンズ側に射出させる測光用入射面と測光用射出面とを有する多面のプリズム体より成っていることを特徴とする請求項１８のファインダー系。
【請求項２０】
前記光学部材は前記正立像形成部材からの光束を入射させる第１の光学面と、光軸に対して傾斜した該第１の光学面からの光束を通過させるとともに前記表示用入射面からの光束を反射させる第２の光学面とを有しており、該第１の光学面と前記測光用入射面を同一面より形成していることを特徴とする請求項１９のファインダー系。
【請求項２１】
所定面上に形成した被写体像に基づく光束を、正立像形成部材と光軸に対して傾斜し特定の波長域の光束を反射させる少なくとも１つの光学面を有する光学部材の該光学面を通過させて接眼レンズに導光する観察系と、該正立像形成部材の近傍に設けた表示体からの光束を、該光学面で反射させて、該接眼レンズに導光する表示系とを有し、該観察系と該表示系とを利用して該被写体像と表示体の双方を同一視野で観察するとともに該光学面の法線と光軸とのなす角をθ0 °としたとき、
２．５＜θ0 ＜５０
を満足することを特徴とするファインダー系。
【請求項２２】
前記１つの光学面はダイクロイックミラーであり、ファインダー光軸と平行な方向に入射する光線の平均透過率が５０％になる波長をλｈ（ｎｍ）としたとき、
６００ｎｍ＜λｈ＜７００ｎｍ
を満足することを特徴とする請求項２１のファインダー系。
【請求項２３】
前記観察系の光軸と前記表示系の光軸は前記接眼レンズで一致していることを特徴とする請求項１から２２のいずれか１項記載のファインダー系。
【請求項２４】
請求項１から２３のいずれか１項記載のファインダー系と、前記所定面近傍に設けられた焦点板とを有し、該焦点板に撮影レンズによる被写体像を形成していることを特徴とする一眼レフレックスカメラ。
【手続補正２】
【補正対象書類名】明細書
【補正対象項目名】００１６
【補正方法】変更
【補正の内容】
【００１６】
【課題を解決するための手段】
請求項１のファインダー系は、所定面上に形成した被写体像に基づく光束を、正立像形成部材と光軸に対して互いに異なる角度で配置した２つの光学面とを通過させて接眼レンズに導光する観察系と、該正立像形成部材の近傍に設けた表示体からの光束を、該２つの光学面で反射させて、該接眼レンズに導光する表示系とを有し、該観察系と該表示系とを利用して該被写体像と該表示体の双方を同一視野で観察することを特徴としている。
【手続補正３】
【補正対象書類名】明細書
【補正対象項目名】００１７
【補正方法】変更
【補正の内容】
【００１７】
請求項２の発明は請求項１の発明において、前記２つの光学面のうち１つはハーフミラー、他の１つはダイクロイックミラーであることを特徴としている。
【手続補正４】
【補正対象書類名】明細書
【補正対象項目名】００１８
【補正方法】変更
【補正の内容】
【００１８】
請求項３の発明のファインダー系は、所定面上に形成した被写体像に基づく光束を、正立像形成部材と光軸に対して互いに異なる角度で配置した第１の光学面と第２の光学面の順に通過させて接眼レンズに導光する観察系と、該正立像形成部材の近傍に設けた表示体からの光束を、該第２の光学面と第１の光学面の順で反射させて、該接眼レンズに導光する表示系とを有し、該観察系と該表示系とを利用して該被写体像と該表示体の双方を同一視野で観察することを特徴としている。
【手続補正５】
【補正対象書類名】明細書
【補正対象項目名】００１９
【補正方法】変更
【補正の内容】
【００１９】
請求項４の発明は請求項３の発明において、前記第１の光学面はハーフミラー、又はダイクロイックミラーであることを特徴としている。
【手続補正６】
【補正対象書類名】明細書
【補正対象項目名】００２０
【補正方法】変更
【補正の内容】
【００２０】
請求項５の発明は請求項４の発明において、前記第１の光学面の法線と光軸とのなす角をθ1 °としたとき、
２．５＜θ1 ＜２０
を満足することを特徴としている。
【手続補正７】
【補正対象書類名】明細書
【補正対象項目名】００２１
【補正方法】変更
【補正の内容】
【００２１】
請求項６の発明は請求項４の発明において、前記第１の光学面の法線と第２の光学面の法線とのなす角をθR °としたとき、
３０＜θR ＜５５
を満足することを特徴としている。
【手続補正８】
【補正対象書類名】明細書
【補正対象項目名】００２２
【補正方法】変更
【補正の内容】
【００２２】
請求項７の発明は請求項４の発明において、前記第１と第２の光学面は１つの光学部材より形成されており、該第２の光学面は前記表示体からの光束を反射させるとともに、前記所定面上の被写体像からの光束であって、該第１の光学面を通過してくる光束を通過するように光軸に対して傾斜して配置しており、該第２の光学面に基づく光軸の偏向を補償する透過面を有する補償光学部材を光路中に設けていることを特徴としている。
【手続補正９】
【補正対象書類名】明細書
【補正対象項目名】００２３
【補正方法】変更
【補正の内容】
【００２３】
請求項８の発明は請求項７の発明において、前記第２の光学面は前記表示体からの光束を全反射させるとともに、前記所定面上の被写体像からの光束であって、前記第１の光学面を通過してくる光束を通過するように設定していることを特徴としている。
【手続補正１０】
【補正対象書類名】明細書
【補正対象項目名】００２４
【補正方法】変更
【補正の内容】
【００２４】
請求項９の発明は請求項７の発明において、前記第２の光学面の法線と光軸とのなす角をθ2 °としたとき、
１５＜θ2 ＜３５
を満足することを特徴としている。
【手続補正１１】
【補正対象書類名】明細書
【補正対象項目名】００２５
【補正方法】変更
【補正の内容】
【００２５】
請求項１０の発明は請求項７の発明において、前記正立像形成部材の射出面は前記第１の光学面と略平行で近接配置、又は接合されていることを特徴としている。
【手続補正１２】
【補正対象書類名】明細書
【補正対象項目名】００２６
【補正方法】変更
【補正の内容】
【００２６】
請求項１１の発明は請求項７の発明において、前記補償光学部材の透過面は曲面を有しており、前記接眼レンズの一部の光学作用をしていることを特徴としている。
【手続補正１３】
【補正対象書類名】明細書
【補正対象項目名】００２７
【補正方法】変更
【補正の内容】
【００２７】
請求項１２の発明は請求項３の発明において、前記第１の光学面と第２の光学面はいずれもハーフミラー、又はダイクロイックミラーであることを特徴としている。
【手続補正１４】
【補正対象書類名】明細書
【補正対象項目名】００２８
【補正方法】変更
【補正の内容】
【００２８】
請求項１３の発明は請求項１２の発明において、前記第１の光学面と第２の光学面は１つの光学部材より形成されており、該第２の光学面に基づく光軸の偏向を補償する透過面を有する補償光学部材を該第２の光学面と接合していることを特徴としている。
【手続補正１５】
【補正対象書類名】明細書
【補正対象項目名】００２９
【補正方法】変更
【補正の内容】
【００２９】
請求項１４の発明は請求項１２の発明において、前記正立像形成部材の射出面は前記第１の光学面と略平行で近接配置、又は接合されていることを特徴としている。
【手続補正１６】
【補正対象書類名】明細書
【補正対象項目名】００３０
【補正方法】変更
【補正の内容】
【００３０】
請求項１５の発明は請求項１２の発明において、前記第１、第２の光学面は反射鏡より成っていることを特徴としている。
【手続補正１７】
【補正対象書類名】明細書
【補正対象項目名】００３１
【補正方法】変更
【補正の内容】
【００３１】
請求項１６の発明のファインダー系は、所定面上に形成した被写体像に基づく光束を、正立像形成部材と光軸に対して傾斜した光学面を有する光学部材の該光学面を通過させて接眼レンズに導光する観察系と、該正立像形成部材の近傍に設けた表示体からの光束を結像系で集光し、該光学面で反射させた後に該接眼レンズに導光する表示系とを有し、該観察系と該表示系とを利用して、該所定面上の被写体像と該表示体の縮小像との双方を略同一の視度で観察するようにしたことを特徴としている。
【手続補正１８】
【補正対象書類名】明細書
【補正対象項目名】００３２
【補正方法】変更
【補正の内容】
【００３２】
請求項１７の発明は請求項１６の発明において、前記結像系は正の第１レンズと正の第２レンズとを有し、該結像系と前記接眼レンズとの合成の焦点距離をｆR 、前記観察系の焦点距離をｆE としたとき、
０．１＜ｆR ／ｆE＜０．５
を満足することを特徴としている。
【手続補正１９】
【補正対象書類名】明細書
【補正対象項目名】００３３
【補正方法】変更
【補正の内容】
【００３３】
請求項１８の発明のファインダー系は、所定面上に形成した被写体像に基づく光束を、正立像形成部材と光軸に対して傾斜した光学面を有する光学部材の該光学面を通過させて接眼レンズに導光する観察系と、該正立像形成部材の近傍に設けた表示体からの光束を、該光学面で反射させて、該接眼レンズに導光する表示系とを有し、該観察系と該表示系とを利用して、該被写体像と表示体の双方を同一視野で観察すると共に、該所定面上に形成した被写体像に基づく光束の一部を該正立像形成部材、及び該光学部材のうち、該観察系の有効光線領域外の一部を介して受光レンズで集光して受光素子に導光する測光系を有し、該測光系を用いて該被写体像の輝度情報を得ていることを特徴としている。
【手続補正２０】
【補正対象書類名】明細書
【補正対象項目名】００３４
【補正方法】変更
【補正の内容】
【００３４】
請求項１９の発明は請求項１８の発明において、前記光学部材は、前記表示体からの光束を入射させる表示用入射面、前記正立像形成部材からの光束を入射させて、前記受光レンズ側に射出させる測光用入射面と測光用射出面とを有する多面のプリズム体より成っていることを特徴としている。
【手続補正２１】
【補正対象書類名】明細書
【補正対象項目名】００３５
【補正方法】変更
【補正の内容】
【００３５】
請求項２０の発明は請求項１９の発明において、前記光学部材は前記正立像形成部材からの光束を入射させる第１の光学面と、光軸に対して傾斜した該第１の光学面からの光束を通過させるとともに前記表示用入射面からの光束を反射させる第２の光学面とを有しており、該第１の光学面と前記測光用入射面を同一面より形成していることを特徴としている。
【手続補正２２】
【補正対象書類名】明細書
【補正対象項目名】００３６
【補正方法】変更
【補正の内容】
【００３６】
請求項２１の発明のファインダー系は、所定面上に形成した被写体像に基づく光束を、正立像形成部材と光軸に対して傾斜し特定の波長域の光束を反射させる少なくとも１つの光学面を有する光学部材の該光学面を通過させて接眼レンズに導光する観察系と、該正立像形成部材の近傍に設けた表示体からの光束を、該光学面で反射させて、該接眼レンズに導光する表示系とを有し、該観察系と該表示系とを利用して該被写体像と表示体の双方を同一視野で観察するとともに該光学面の法線と光軸とのなす角をθ0 °としたとき、
２．５＜θ0 ＜５０
を満足することを特徴としている。
【手続補正２３】
【補正対象書類名】明細書
【補正対象項目名】００３７
【補正方法】変更
【補正の内容】
【００３７】
請求項２２の発明は請求項２１の発明において、前記１つの光学面はダイクロイックミラーであり、ファインダー光軸と平行な方向に入射する光線の平均透過率が５０％になる波長をλｈ（ｎｍ）としたとき、
６００ｎｍ＜λｈ＜７００ｎｍ
を満足することを特徴としている。
【手続補正２４】
【補正対象書類名】明細書
【補正対象項目名】００３８
【補正方法】変更
【補正の内容】
【００３８】
請求項２３の発明は請求項１から２２のいずれか１項の発明において、前記観察系の光軸と前記表示系の光軸は前記接眼レンズで一致していることを特徴としている。
【手続補正２５】
【補正対象書類名】明細書
【補正対象項目名】００３９
【補正方法】変更
【補正の内容】
【００３９】
請求項２４の発明の一眼レフレックスカメラは、請求項１から２３のいずれか１項記載のファインダー系と、前記所定面近傍に設けられた焦点板とを有し、該焦点板に撮影レンズによる被写体像を形成していることを特徴としている。